(57)【要約】      （修正有）【課題】複数枚の新聞紙を重ねた状態で確実に挟持する。小型軽量であり、持ち運び携帯を容易とし、クリップを簡易迅速に用いる。挿入作業が容易で女性の指を痛める虞れがなく、新聞紙のリサイクル再生利用を容易とする。構成が簡易で経済性を向上させる。【解決手段】クリップを内側部材３と、この内側部材３の外側に一体に設けられた外側部材５とから形成する。内側部材３に内側止め部７と、つかみ部９及び差し込み部１１とを形成する。外側部材５を内側止め部７の外側を覆うように二つ折りにされる外側止め部１３と、上方に突出するつかみ部１５とから形成する。内側部材３と外側部材５とをつかみ部９，１５で少なくとも一体に形成する。外側止め部１３と内側止め部７により複数枚の新聞紙の折り畳み部を挟持する。【選択図】図１
0003102199.tif 000002
【実用新案登録請求の範囲】
【請求項１】
複数枚の新聞紙の折り畳み部の上端を挟み込むことができる新聞紙用のクリップにおいて、前記クリップは内側部材と、この内側部材の外側に一体に設けられた外側部材とから形成され、前記内側部材は内側止め部と、該内側止め部の先端に形成された差し込み部とを有し、前記外側部材は前記内側止め部の外側を覆うように二つ折りに形成された外側止め部と、該外側止め部の上部に形成され前記新聞紙の折り畳み部の上端より上方に突出するつかみ部とを有し、前記内側部材と外側部材とはつかみ部で少なくとも一体に形成され、前記内側止め部の先端の差し込み部を複数枚の新聞紙の折り畳み部の内側に挿入することにより、前記外側止め部と内側止め部により複数枚の新聞紙の折り畳み部が挟持されることを特徴とする新聞紙用のクリップ。
【請求項２】
複数枚の新聞紙の折り畳み部の上端を挟み込むことができる新聞紙用のクリップにおいて、前記クリップは内側部材と、この内側部材の外側に一体に設けられた外側部材とから形成され、前記内側部材は内側止め部と、該内側止め部の先端に形成された差し込み部とを有し、前記外側部材は前記内側止め部の外側を覆うように二つ折りに形成された外側止め部と、該外側止め部の上部に形成され前記新聞紙の折り畳み部の上端より上方に突出するつかみ部とを有し、前記内側部材と外側部材とは一枚の紙材を折り込み形成され、前記二つ折りに形成される外側止め部の外側に下端からのスリットを介して設けられた左右一対の内側止め部が前記つかみ部で連結されて形成され、前記外側の左右一対の内側止め部を外側止め部側に夫々折り返し、更に外側止め部を左右一対の内側止め部が夫々対向するように二つ折りにされ、前記左右一対の内側止め部の対向面同士が接合されて形成され、前記スリットにより形成された内側止め部の先端の差し込み部を複数枚の新聞紙の折り畳み部の内側に挿入することにより、前記外側止め部と内側止め部により複数枚の新聞紙の折り畳み部が挟持されることを特徴とする新聞紙用のクリップ。
【請求項３】
前記内側止め部の先端に形成された差し込み部が下端に向かって細く形成され、且つ下端側の外側に弯曲部が形成されていることを特徴とする請求項１または請求項２に記載の新聞紙用のクリップ。
【請求項４】
前記外側部材の外側に広告面が形成されていることを特徴とする請求項１乃至請求項３の何れかに記載の新聞紙用のクリップ。
【考案の詳細な説明】
【技術分野】
【０００１】
本考案は、新聞紙用のクリップに関し、更に詳細に説明すると、複数枚の新聞紙の中央等の折り畳み部の上端を挟み込むことができる新聞紙用のクリップに関する。
【背景技術】
【０００２】
一般に、新聞は複数枚の新聞紙から形成され、これらの複数枚の新聞紙は重ねられ、且つ新聞紙の中央の折り畳み部で折り畳まれている。これらの複数枚の新聞紙がページをめくる度に上下左右方向にずれ、バラバラにならないように、新聞紙を挟み込むクリップが種々提案されている。
【０００３】
従来の新聞紙を挟み込むクリップとして簡易なものは、ホッチキス針によるホッチキス止めがあり、また構成が複雑なものとしては、新聞紙バインダー及び新聞紙ホルダーを用いて、新聞紙の上下両端側を挟持し、新聞紙ホルダー等を新聞架台に載置することができるようになされている（例えば、特許文献１参照）。また近時、新聞紙を簡易に挟み込む簡易型のばね線中とじクリップが提案されている（例えば、特許文献２参照）。
【特許文献１】特許公開２０００−１１８１８３号公報（第１頁、図１及び図３）
【特許文献２】登録実用新案第３０９６１５８号公報（第１頁、図３及び図４）
【考案の開示】
【考案が解決しようとする課題】
【０００４】
しかしながら、上記従来のホッチキス針によるホッチキス止めの場合には、ホッチキス針を取り除いて廃棄しなければならず、ホッチキス針が残ったまま新聞紙を再生する場合には、リサイクル再生利用が困難となる欠点を有していた。新聞紙の再生時にホッチキス針を取り除かない場合には不良品が再生される虞れを有するので、再生時にホッチキス針を取り除く煩雑な作業が必要となる等の欠点を有していた。
【０００５】
また、特許文献１に示される、新聞架台に載置する構成の新聞紙バインダー及び新聞紙ホルダーでは、構成が複雑で高価となり、また重量も重く、かさばり持ち運びが困難であり、電車内等で利用することができないものであった。更に、特許文献２に示される、簡易型のばね線中とじクリップにおいても、金属製のばねを用い、且つ挿入作業と、ばね線を強く折り曲げながらＵ字かぎ部分を折り目の裏側に回して、新聞紙越しに直線脚に引っ掛ける作業とが必要で、作業が煩雑となり、また女性の指や爪を傷つける虞れを有していた。
【０００６】
そこで、本考案は、上記従来例の未解決の課題に着目してなされたものであり、複数枚の新聞紙を確実に挟持することができ、小型軽量であり、持ち運び携帯が容易でクリップを簡易迅速に用いることができ、挿入作業が容易で女性の指を痛める虞れがなく、新聞紙のリサイクル再生利用が容易となり、且つ構成が簡易で経済性に優れた新聞紙用のクリップを提供することを目的としている。
【課題を解決するための手段】
【０００７】
上記目的を達成するために、本考案の請求項１に係る新聞紙用のクリップは、複数枚の新聞紙の折り畳み部の上端を挟み込むことができる新聞紙用のクリップにおいて、前記クリップは内側部材と、この内側部材の外側に一体に設けられた外側部材とから形成され、前記内側部材は内側止め部と、該内側止め部の先端に形成された差し込み部とを有し、前記外側部材は前記内側止め部の外側を覆うように二つ折りに形成された外側止め部と、該外側止め部の上部に形成され前記新聞紙の折り畳み部の上端より上方に突出するつかみ部とを有し、前記内側部材と外側部材とはつかみ部で少なくとも一体に形成され、前記内側止め部の先端の差し込み部を複数枚の新聞紙の折り畳み部の内側に挿入することにより、前記外側止め部と内側止め部により複数枚の新聞紙の折り畳み部が挟持されることを特徴とする。
【０００８】
また、本考案の請求項２に係る新聞紙用のクリップは、複数枚の新聞紙の折り畳み部の上端を挟み込むことができる新聞紙用のクリップにおいて、前記クリップは内側部材と、この内側部材の外側に一体に設けられた外側部材とから形成され、前記内側部材は内側止め部と、該内側止め部の先端に形成された差し込み部とを有し、前記外側部材は前記内側止め部の外側を覆うように二つ折りに形成された外側止め部と、該外側止め部の上部に形成され前記新聞紙の折り畳み部の上端より上方に突出するつかみ部とを有し、前記内側部材と外側部材とは一枚の紙材を折り込み形成され、前記二つ折りに形成される外側止め部の外側に下端からのスリットを介して設けられた左右一対の内側止め部が前記つかみ部で連結されて形成され、前記外側の左右一対の内側止め部を外側止め部側に夫々折り返し、更に外側止め部を左右一対の内側止め部が夫々対向するように二つ折りにされ、前記左右一対の内側止め部の対向面同士が接合されて形成され、前記スリットにより形成された内側止め部の先端の差し込み部を複数枚の新聞紙の折り畳み部の内側に挿入することにより、前記外側止め部と内側止め部により複数枚の新聞紙の折り畳み部が挟持されることを特徴とする。
【０００９】
また、本考案の請求項３に係る新聞紙用のクリップは、前記内側止め部の先端に形成された差し込み部が下端に向かって細く形成され、且つ下端側の外側に弯曲部が形成されていることを特徴とする。
【００１０】
また、本考案の請求項４に係る新聞紙用のクリップは、前記外側部材の外側に広告面が形成されていることを特徴とする。
【考案の効果】
【００１１】
請求項１に係る考案によれば、内側部材と、この内側部材の外側に一体に設けられた外側部材とから形成された新聞紙用のクリップにより複数枚の新聞紙を確実に挟持することができ、小型軽量であり、持ち運び携帯が容易でクリップを簡易迅速に用いることができ、内側止め部の先端に形成された差し込み部の挿入作業が容易で女性の指や爪を傷める虞れがなく、新聞紙のリサイクル再生利用が容易となり、且つ構成が簡易で経済性に優れた新聞紙用のクリップを得ることができる。
【００１２】
また、請求項２に係る考案によれば、内側部材と外側部材とは一枚の紙材を折り込み形成され、小型軽量であり、持ち運び携帯が容易でクリップを簡易迅速に用いることができ、内側止め部の先端に形成された差し込み部の挿入作業が容易で女性の指や爪を傷める虞れがなく、新聞紙のリサイクル再生利用が容易となり、且つ構成が簡易で製造が容易で経済性に優れた新聞紙用のクリップを得ることができる。
【００１３】
また、請求項３に係る考案によれば、内側止め部の先端に形成された差し込み部が下端に向かって細く形成され、且つ下端側の外側に弯曲部が形成されているので、抵抗が少なく、より挿入作業が容易となる効果が得られる。
【００１４】
更にまた、請求項４に係る考案によれば、外側部材の外側に広告面が形成されているので、広告効果を増大させ、経済効果を増大させることができる効果が得られる。
【考案を実施するための最良の形態】
【００１５】
以下、本考案に係わる新聞紙用のクリップの実施の形態を図面について説明する。
【００１６】
図１乃至図８は本考案の一実施形態を示すもので、図１は一枚の紙材を折り込みクリップを形成する場合のクリップの展開状態の正面図、図２は図１の状態より内側部材を内側に折り返した状態の正面図、図３は図２の裏面図、図４は外側部材の外側止め部を二つ折りにし、左右一対の内側止め部の対向面同士を接合したクリップの完成状態の正面図、図５は複数枚の新聞紙の中央の折り畳み部の上端に内側止め部の先端の差し込み部を挿入する状態を示す斜視図、図６は外側止め部と内側止め部により複数枚の新聞紙の中央の折り畳み部を挟持した状態の正面図、図７は図６の一部断面説明図、図８は新聞紙用のクリップの使用状態を示す斜視図である。
【００１７】
図１乃至図４に示す如く、新聞紙用のクリップ１は上下方向に長い帯状の内側部材３と、この内側部材３の外側に一体に設けられた上下方向に長い帯状の外側部材５とから形成されている。尚、本実施の形態では、一枚の所定の形状に裁断された紙材Ｐを折り込み形成されているが、内側部材３と外側部材５とを夫々別体に形成し、これらを接合してクリップ１を形成してもよい。また内側部材３と外側部材５の長さは本実施の形態では略同一に形成したが、長さが異なるものでもよい。前記紙材Ｐは板紙等から形成され、例えば葉書や名刺用紙と同程度の厚さと硬さを有すればよく、またはこれらより硬質のものであってもよい。
【００１８】
前記内側部材３は内側止め部７と、この内側止め部７の上部に形成されたつかみ部９と、内側止め部７の下端側である先端に形成された差し込み部１１とを有し、前記外側部材５は前記内側止め部７の外側を覆うように二つ折りに形成された左右略対称な外側止め部１３と、この外側止め部１３の上部に形成されたつかみ部１５とを夫々有し、前記内側部材３のつかみ部９と外側部材５のつかみ部１５とは、本実施の形態では一連に形成されている。またつかみ部９と、つかみ部１５の上端は夫々円弧面９ａ，１５ａに形成され、ぶつかっても安全性を保持し得るように形成されている。
【００１９】
図５及び図６に示す如く、前記内側部材３のつかみ部９と外側部材５のつかみ部１５とは新聞紙ＮＰの折り畳み部ＮＰ１の上端より上方に突出し、内側止め部７の先端の差し込み部１１を複数枚の新聞紙ＮＰの折り畳み部ＮＰ１を揃えた状態で、折り畳み部ＮＰ１の内側に挿入することにより、前記二つ折りに形成された左右略対称な外側止め部１３と内側止め部７により複数枚の新聞紙ＮＰの折り畳み部ＮＰ１が挟持される。また内側部材３のつかみ部９と外側部材５のつかみ部１５とを持って、図６に示す使用状態よりクリップ１を上方に引き抜くことにより、新聞紙ＮＰより簡易迅速に取り外すことができる。
【００２０】
次に、図１に示す如く、一枚の紙材Ｐを折り込み新聞紙用のクリップ１を形成する場合につき、更に詳細に述べる。前記二つ折りに形成される外側止め部１３の外側に下端から上方に延び、つかみ部９，１５の下端までスリット２１を設ける。このスリット２１を介して設けられた左右一対の内側止め部７が前記つかみ部９，１５で連結された状態で形成される。外側部材５の中央には近接した状態で上下方向に延びる２本の折れ線２３が形成されている。この２本の折れ線２３の位置に二つ折り部２５が形成される。
【００２１】
前記内側部材３を形成する外側の左右一対の内側止め部７を、図２及び図３に示す如く、外側止め部１３側に夫々折り返す。この際内側止め部７の外側端７ａ同士はオーバーラップせず適宜の間隔Ｌ１が形成されている。この間隔Ｌ１は２本の折れ線２３の間隔と略等しく形成されている。尚、内側止め部７の下端と差し込み部１１の上端との間は弯曲部７ｂに形成され、差し込み部１１は下端に向かって細く形成されている。また外側止め部１３の下端１３ｂは逆台形状に形成されている。
【００２２】
次に、図４に示す如く、外側止め部１３を左右一対の内側止め部７が夫々対向するように、前記２本の折れ線２３の位置で二つ折りにし、二つ折り部２５を形成する。前記左右一対の内側止め部７の対向面同士を接着剤，両面接着テープ等により接合すれば、新聞紙用のクリップ１が形成される。この外側部材５の外側を広告面に形成することができでき、この広告面が人の目につき易く、広告効果を増大させ、経済効果を増大させることができる。
【００２３】
図５に示す如く、前記スリット２１により外側部材５の外側止め部１３と分割状態で形成された内側止め部７の先端の差し込み部１１を複数枚の新聞紙ＮＰの折り畳み部ＮＰ１の内側に挿入する。この差し込み部１１の挿入時に新聞紙ＮＰの折り畳み部ＮＰ１を内側に軽く押圧すると折り畳み部ＮＰ１が少し開き、差し込み部１１の挿入を容易に行うことができる。
【００２４】
図７に示す如く、前記差し込み部１１を十分に差し込むことにより外側止め部１３と内側止め部７により複数枚の新聞紙ＮＰの折り畳み部ＮＰ１が確実に挟持され、図８に示す使用状態の如く、新聞紙ＮＰを縦折りにすることもでき、新聞紙ＮＰがずれてバラバラとなるのを防止することができ、安心して新聞紙ＮＰを読むことができる。
【図面の簡単な説明】
【００２５】
【図１】本考案に係わる新聞紙用のクリップを一枚の紙材を折り込み形成する場合のクリップの展開状態の正面図。
【図２】図１の状態より内側部材を内側に折り返した状態の正面図。
【図３】図１の状態より内側部材を内側に折り返した状態の裏面図。
【図４】図２の状態より外側部材の外側止め部を二つ折りにし、左右一対の内側止め部の対向面同士を接合したクリップの完成状態の正面図。
【図５】本考案に係わる新聞紙用のクリップの内側止め部の先端の差し込み部を新聞紙の中央の折り畳み部の上端に挿入する状態を示す斜視図。
【図６】本考案に係わる新聞紙用のクリップの外側止め部と内側止め部により新聞紙の中央の折り畳み部を挟持した状態の正面図。
【図７】クリップの一部断面説明図。
【図８】本考案に係わる新聞紙用のクリップの使用状態を示す斜視図。
【符号の説明】
【００２６】
１      新聞紙用のクリップ
３      内側部材
５      外側部材
７      内側止め部
７ａ    外側端
７ｂ    弯曲部
９      つかみ部
９ａ    円弧面
１１    差し込み部
１３    外側止め部
１３ｂ  下端
１５    つかみ部
１５ａ  円弧面
２１    スリット
２３    折れ線
２５    二つ折り部
Ｐ      紙材
ＮＰ    新聞紙
ＮＰ１  折り畳み部
【図１】
0003102199.tif 000003
【図２】
0003102199.tif 000004
【図３】
0003102199.tif 000005
【図４】
0003102199.tif 000006
【図５】
0003102199.tif 000007
【図６】
0003102199.tif 000008
【図７】
0003102199.tif 000009
【図８】
0003102199.tif 000010